(57)【要約】【課題】撮影姿勢の如何に拘らず表示画像を確認しつつ視認撮影が可能で、専用のバリア部材が不要になる上、通常撮影時においてコンパクトな態様で使用可能なカメラを提供。【解決手段】カメラ本体１０と、この本体１０の前面１０ａに設けられた撮影レンズ１１と、前記本体１０の背面１０ｂに設けられた接眼部１３ｂを有する被写体視認用のファインダ１３と、撮影レンズ１１を通して得られる撮影画像を表示する画像表示装置２０と、画像表示装置２０を前記本体１０の前面側に定められた前面位置と背面側に定められた背面位置との間を移動させる移動手段３０とを備え、画像表示装置２０は、前面位置に移動したときは表示面２１を前記本体１０の前面に対向させて少なくとも撮影レンズ１１を覆うように配置され、背面位置に移動したときは接眼部１２ｂを露出させた状態で自らの表示面２１を露出させる向きに配置されることを主たる特徴としている。【選択図】      図６
2005167899.tif 000002
【特許請求の範囲】
【請求項１】
カメラ本体と、
前記カメラ本体の前面に設けられた撮影レンズと、
前記カメラ本体の背面に設けられた接眼部を有する被写体視認用のファインダと、
前記撮影レンズを通して得られる撮影画像を表示する画像表示装置と、
前記画像表示装置を前記カメラ本体の前面側に定められた前面位置と背面側に定められた背面位置との間を移動させる移動手段と、
を備え、前記画像表示装置は、
前記前面位置に移動したときは、表示面を前記カメラ本体の前面に対向させて少なくとも前記撮影レンズを覆うように配置され、
前記背面位置に移動したときは、前記接眼部を露出させた状態で、自らの表示面を露出させる向きに配置されることを特徴とするカメラ。
【請求項２】
前記移動手段は、前記画像表示装置を前記前面位置と前記背面位置との間を略３６０°の角度範囲にわたり回動させると共に、前記画像表示装置の上端面のカメラ本体底面からの高さが、当該画像表示装置が前記カメラ本体の前面位置にあるときよりも、当該画像表示装置が前記カメラ本体の背面位置にあるときの方が、低くなるように設定する手段を含んでいることを特徴とする請求項１に記載のカメラ。
【請求項３】
前記ファインダの接眼部は、この接眼部の観察面が前記カメラ本体の背面から突出するように設けられ、
前記画像表示装置は、前記背面位置に移動したとき、当該画像表示装置の上端面が前記接眼部の底面に近接し、かつ、当該画像表示装置の外観面と前記接眼部の観察面とが前記カメラ本体の奥行き方向で同一面となるように設定されていることを特徴とする請求項２に記載のカメラ。
【請求項４】
前記ファインダは、前記カメラ本体の前面に入射部を有する光学式ファインダであって、前記画像表示装置は、前記カメラ本体の前面位置において、前記ファインダの入射部を覆うように配置されることを特徴とする請求項１又は２又は３に記載のカメラ。
【請求項５】
前記カメラ本体の前面位置にある前記画像表示装置の外観面が、前記カメラ本体の側面に設けられたグリップ部の外観面と連続するように設けられていることを特徴とする請求項１ないし４のいずれか一つに記載のカメラ。
【請求項６】
前記移動手段は、前記カメラ本体の底部に備えられていることを特徴とする請求項１ないし５のいずれか一つに記載のカメラ。
【請求項７】
前記移動手段は、前記カメラ本体と前記画像表示装置とを連結する連結部材を備え、当該連結部材は一端部に前記カメラ本体に回動可能に軸支される第1の回動軸を有し、他端部に前記画像表示装置を回動可能に軸支する第2の回動軸を有することを特徴とする請求項５に記載のカメラ。
【請求項８】
前記連結部材は、前記画像表示装置が前記カメラ本体の背面位置にあるときは、前記第1の回動軸及び第2の回動軸のカメラ底面からの高さが略同一高さになり、
前記画像表示装置が前記カメラ本体の前面位置にあるときは、前記第2の回動軸のカメラ底面からの高さが、前記第1の回動軸のカメラ底面からの高さより高い位置となるように設定されていることを特徴とする請求項７に記載のカメラ。
【請求項９】
前記画像表示装置が前記カメラ本体の前面位置にあるとき、前記連結部材が当接可能な傾斜面を含む連結部材収納部が前記カメラ本体の底部に形成されたことを特徴とする請求項８に記載のカメラ。
【請求項１０】
前記移動手段によって変化する前記画像表示装置の位置に応じて、カメラ動作を制御する制御手段を備えたことを特徴とする請求項１ないし９のいずれか一つに記載のカメラ。
【請求項１１】
前記制御手段は、前記画像表示装置がカメラ本体の前面側から背面側へ回動して第1の状態になったとき、前記撮影レンズを前記カメラ本体の前面から前方へ繰り出し制御する手段を含んでいることを特徴とする請求項１０に記載のカメラ。
【請求項１２】
前記制御手段は、前記画像表示装置が前記第1の状態からさらに背面側に回動し第2の状態になったとき、撮影を許可する手段を含んでいることを特徴とする請求項１０に記載のカメラ。
【請求項１３】
前記制御手段は、前記画像表示装置が所定の角度範囲内にあるとき、前記画像表示装置に表示される表示画像の向きを可変制御する手段を含んでいることを特徴とする請求項１０に記載のカメラ。
【請求項１４】
前記移動手段は、一端部がカメラ本体と回動可能に軸支され、他端部が前記画像表示装置と回動可能に軸支され、前記カメラ本体と前記画像表示装置とを連結する連結部材と、
前記カメラ本体に対する前記連結部材の回動角度及び前記連結部材に対する前記画像表示装置の回動角度から、前記画像表示装置の姿勢を検出する検出手段と、
前記検出手段により検出された前記画像表示装置の姿勢に応じてカメラ動作を制御する制御手段と、
を備えたことを特徴とする請求項１に記載のカメラ。
【請求項１５】
前記画像表示装置の表示面が設けてある面には、操作部材が配置されていることを特徴とする請求項１ないし１４のいずれか一つに記載のカメラ。
【請求項１６】
前記操作部材は、前記画像表示装置の表示に関する指示を行なうものであることを特徴とする請求項１５に記載のカメラ。
【発明の詳細な説明】
【技術分野】
【０００１】
本発明は、撮影者の撮影姿勢に応じて、その姿勢を適宜変更可能な画像表示装置を備えたカメラに関する。
【背景技術】
【０００２】
一般に、デジタルカメラにおいては、撮影画像をモニター可能なＣＣＤなどからなる画像表示装置を備えている。この画像表示装置は通常の場合、カメラ本体の背面位置に固定化されている。このため撮影者が、ローアングル撮影、ハイアングル撮影、自分撮り撮影、などの撮影姿勢をとった場合、撮影画面を確認することが困難な場合が生じる。
【０００３】
このような不具合を改善したカメラとして、カメラ本体とＬＣＤ等からなる画像表示装置とを回動機構等を介して結合することにより、画像表示装置の向きを撮影姿勢に応じて適宜変更可能に構成されたカメラが提案されている。（特許文献１，２参照）
一方、画像表示装置をレンズバリアに兼用したカメラが提案されている。このカメラの画像表示装置は、非使用時においてはレンズバリアとして撮影レンズ前面に位置し、撮影時にはカメラ本体の上部に起立した状態になる。（特許文献３参照）
【特許文献２】特開平０８−００９２１３号公報
【特許文献１】特開平０４−１００３８２号公報
【特許文献３】特開平１１−２５８６５７号公報
【発明の開示】
【発明が解決しようとする課題】
【０００４】
特許文献１，２に記載のカメラでは、画像表示装置をカメラ本体に結合するための回動機構が、外部から容易に視認可能な箇所に設けられている。すなわち、特許文献１の場合はカメラ本体の上端面に設けられており、特許文献２の場合はカメラ本体の背面に設けられている。このような構成では、回動機構の存在が、カメラとしてデザイン上の外観不良を招き易い。
【０００５】
特許文献３に記載のカメラは、専用のレンズバリアを必要としない利点を有する。しかし特許文献３に示されている画像表示装置は、撮影レンズ保護位置における第１の姿勢とカメラ本体上部位置における第2の姿勢との二姿勢しか採りえない。したがって撮影姿勢によっては撮影画面を確認することが困難な場合が生じる。また通常の撮影時において画像表示装置がカメラ本体の上部位置へ反転起立した状態になる。このため通常の撮影時において従来のようにコンパクトな態様で使用することができない。
【０００６】
本発明の目的は、撮影姿勢の如何に拘らず表示画像を確認しながらの「視認撮影」が可能で、専用のバリア部材が不要になりカメラの小型化に寄与する上、通常の撮影時においては従来同様にコンパクトな態様で使用でき、外観不良を招くおそれのないカメラを提供することにある。
【課題を解決するための手段】
【０００７】
上記目的を達成するために、本発明のカメラは下記のような特徴ある構成を有している。なお下記以外の本発明の特徴ある構成については実施形態の中で明らかにする。
【０００８】
本発明のカメラは、カメラ本体と、前記カメラ本体の前面に設けられた撮影レンズと、
前記カメラ本体の背面に設けられた接眼部を有する被写体視認用のファインダと、前記撮影レンズを通して得られる撮影画像を表示する画像表示装置と、前記画像表示装置を前記カメラ本体の前面側に定められた前面位置と背面側に定められた背面位置との間を移動させる移動手段とを備え、前記画像表示装置は、前記前面位置に移動したときは、表示面を前記カメラ本体の前面に対向させて少なくとも前記撮影レンズを覆うように配置され、前記背面位置に移動したときは、前記接眼部を露出させた状態で、自らの表示面を露出させる向きに配置されることを特徴としている。
【発明の効果】
【０００９】
本発明の画像表示装置は、通常の撮影時においては、カメラ本体の背面の被写体視認用ファインダに支障を来たさない箇所に配置される。したがって従来同様にコンパクトな態様で使用できる。また撮影者の撮影姿勢に応じて、その姿勢を所望の態様に適宜変更することも可能である。したがって撮影者の撮影姿勢の如何に拘らず、表示画像を確認しながらの「視認撮影」が可能となる。さらに非撮影時には、画像表示装置の表示面が撮影レンズやファインダ入射部を外側から覆った状態で収められる。したがって専用のバリア部材が不要になり、カメラの小型化に寄与する。
【発明を実施するための最良の形態】
【００１０】
（第１実施形態）
図１の（ａ）（ｂ）（ｃ）は本発明の第１実施形態に係るカメラの構成(画像表示装置をカメラ本体の前面位置から下方へ移動した状態)を示す図で、（ａ）は上面図、（ｂ）は正面図、（ｃ）はカメラ正面から見て右側面を示す右側面図である。なお以下の説明ではカメラの左右はカメラ正面から見た場合を指すものとする。
【００１１】
図２は本発明の第１実施形態に係るカメラの構成(画像表示装置をカメラ本体の前面位置にセットした状態)を示す正面図、図３は同実施形態に係るカメラの構成(画像表示装置をカメラ本体の背面位置にセットした状態)を示す背面図である。
【００１２】
図１の（ａ）（ｂ）（ｃ）、図２、及び図３において、カメラ本体１０はいわゆるデジタルカメラであって、その前面１０ａの中央部位には、いわゆる沈胴式の撮影レンズ１１が設けられている。撮影レンズ１１の右上方にはストロボ発光器１２が配置されている。撮影レンズ１１の上方部位にはファインダ１３の入射部１３ａが配置されている。撮影レンズ１１の左上方にはカメラモード選択用ダイヤル１４が配置されている。カメラ本体前面１０ａの左端部位は、撮影者が撮影時に掴み持ついわゆるグリップ部１５となっている。
【００１３】
カメラ本体１０の上面１０ｃには、レリーズボタン１６、ズーム用回転レバー１７、などが配置されている。カメラ本体１０の背面１０ｂには、操作ボタン類１８（１８ａ〜１８ｃ）などが配置されている。
【００１４】
画像表示装置２０は、撮影レンズ１１を通して得られる撮影画像を表示面２１にモニター画像として表示可能に設けられている。この画像表示装置２０の表示面２１が設けてある面には、画像を上下反転させて表示するための表示ボタン等を含む操作部材２２（２２ａ〜２２ｃ）が配置されている。
【００１５】
画像表示装置２０は、カメラ本体１０の底部１０ｄに備えられている移動手段３０により、カメラ本体１０の前面側に予め定めた前面位置と、カメラ本体１０の背面側に予め定めた背面位置との間を自由に移動し得るものとなっている。
【００１６】
図２に示すように、画像表示装置２０がカメラ本体１０の前面位置に移動したときは、表示面２１は前記カメラ本体１０の前面１０aに対向し、撮影レンズ１１及びファインダ入射部１３ａを覆うような態様に配置される。この状態において画像表示装置２０はバリア部材としての機能を発揮する。
【００１７】
図３に示すように、画像表示装置２０がカメラ本体１０の背面位置に移動したときは、
前記接眼部１３ｂを露出させた状態に保ちながら、自らの表示面２１を露出させた状態に配置される。この状態において画像表示装置２０は通常の撮影時における画像確認用モニターとしての機能を発揮可能となる。
【００１８】
図１の（ａ）（ｂ）（ｃ）に示すように、移動手段３０は、カメラ本体１０と画像表示装置２０とを回動可能に連結する直方体状をなす連結部材３１を備えている。この連結部材３１は、その一端部及び他端部に、カメラ本体１０の横幅方向と平行な第１，第２の回転軸ＡＸ１、ＡＸ２を有している。上記一方の軸ＡＸ１を介してカメラ本体１０の底部に連結部材３１の一端部が回動可能に軸支されている。また上記他方の軸ＡＸ２を介して連結部材３１の他端部に対し連画像表示装置２０の基端部が回動可能に軸支されている。かくして画像表示装置２０は、移動手段３０によりカメラ本体１０の底部１０ｄを経由して、カメラ本体１０の前面位置と背面位置との間を略３６０°の角度範囲にわたり回動可能となっている。
【００１９】
上記第１の回転軸ＡＸ１の近傍には、前記カメラ本体１０に対する前記連結部材３１の回動角αを検出するための姿勢検知用第１エンコーダーが設けられており、上記第２の回転軸ＡＸ２の近傍には、前記連結部材３１に対する前記画像表示装置２０の回動角βを検出するための姿勢検知用第２エンコーダーが設けられている。これら第１エンコーダー、第２エンコーダーについては後述する。
【００２０】
図２及び図３に示すように、移動手段３０は前記画像表示装置２０の上端面のカメラ本体底面からの高さが、当該画像表示装置２０が前記カメラ本体１０の前面位置にあるとき（Ｈ１）よりも、当該画像表示装置２０が前記カメラ本体１０の背面位置にあるとき（Ｈ２）の方が、低くなるように設定する手段を含んでいる。
【００２１】
前記ファインダ１３の接眼部１３ｂは、この接眼部１３ｂの観察面が前記カメラ本体１０の背面から突出量Ｌだけ突出するように設けられている。前記画像表示装置２０は、前記背面位置に移動したとき、当該画像表示装置２０の上端面が前記接眼部１３ｂの底面に近接し、かつ、当該画像表示装置２０の外観面と前記接眼部の観察面とが、前記カメラ本体１０の奥行き方向で同一面（同一突出量Ｌ）となるように設定されている。
【００２２】
カメラ本体１０の前面位置にある画像表示装置２０の左端部は、カメラ本体１０の左端部位に設けられたグリップ部１３の右端部と外観的に連続するように設定されている。
【００２３】
図４は、図１に対応するカメラ構成を示す斜視図である。図４に示すように前記カメラ本体１０の底部には、連結部材収納部１０Ｘが形成されている。この連結部材収納部１０Ｘは、前記画像表示装置２０が前記カメラ本体１０の前面位置にセットされたとき、前記連結部材３１の内面が当接可能な傾斜面Ｔを有している。連結部材３１の内面略中央部位には、撮影レンズ１１の張り出し部を収容するためのＶ字溝形の陥凹部３１ｂが形成されている。
【００２４】
図５は、図２に対応するカメラ構成を示す斜視図である。図５に示すように前記画像表示装置２０が前記カメラ本体１０の前面位置にセットされた状態では、連結部材３１の外面はカメラ底面１０ｄに対し傾斜した面となる。
【００２５】
前記画像表示装置２０が前記カメラ本体１０の背面位置にあるときは、前記連結部材３１における前記第1の回動軸ＡＸ１及び第2の回動軸ＡＸ２のカメラ底面１０ｄからの高さが略同一高さになる（図７の（ｂ）参照）。また前記画像表示装置２０が前記カメラ本体１０の前面位置にあるときは、前記第2の回動軸ＡＸ２のカメラ底面からの高さｈ２が、前記第1の回動軸ＡＸ１のカメラ底面１０ｄからの高さｈｉよりも高い位置となる（図７の（ａ）参照）。
【００２６】
次に第１実施形態に係るカメラにおける画像表示装置２０のカメラ本体１０に対する相対移動動作につき説明する。なお動作説明を簡単化するために、カメラ本体１０に対する画像表示装置２０の姿勢（回動角）について、予め次の如く定義付けを行なう事にする。
【００２７】
図６はカメラ本体１０に対する画像表示装置２０の姿勢（回動角）についての定義付け行なうために示した図である。
【００２８】
(1) 矢印で示す図中反時計周り方向を「＋」回動方向とする。
【００２９】
(2) カメラ本体１０に対する連結部材３１の相対移動角度をαとする。ただし連結部材３１がカメラ本体１０の連結部材収納部１０Ｘの傾斜面Ｔへ当接した状態の角度をα＝０°とする。
【００３０】
(3) 連結部材３１に対する画像表示装置２０の相対移動角度をβとする。ただしα＝０°の状態において、画像表示装置２０がカメラ本体１０の前面へ当接した状態の角度をβ＝０°とする。
【００３１】
(4) カメラ本体１０の前面に対する画像表示装置２０の相対移動角度をθとする。ただしθ＝α＋βである。
【００３２】
図７の（ａ）（ｂ）は画像表示装置２０が カメラ本体１０の前面及び背面にそれぞれ当接した状態を示す側面図である。図７の（ａ）の状態は、前記定義付けにしたがえば、α＝０°、β＝０°、θ＝０°と表せる。図７の（ｂ）の状態は、前記定義付けにしたがえば、α＝２２５°、β＝１３５°、θ＝３６０°と表せる。
【００３３】
図８の（ａ）（ｂ）は、撮影時における画像表示装置２０の相対移動を含むカメラ態様を示す図である。なお図８に示す太矢印は、表示面２１を示している。図８の（ａ）は連結部材３１に対する画像表示装置２０の相対移動角度βを、β＝０°に固定した状態において、連結部材３１のみを＋方向へ回動操作した場合の動作状況を示す図である。
【００３４】
Ａ状態（α＝９０°、β＝０°）は、画像表示装置２０がカメラ本体１０の前面位置から第1の位置まで回動操作され、レンズ繰り出しが可能となった状態である。したがって、このときの画像表示装置２０の角度を「レンズ繰り出し許可角度」と定義する。
【００３５】
Ｂ状態（α＝１０５°β＝０°）は、画像表示装置２０が前記第1の位置からさらに回動操作され、画像表示装置２０が撮影画角の外に移動して、撮影が可能となった状態である。したがって、このときの画像表示装置２０の角度を「撮影許可角度」と定義する。
【００３６】
Ｃ状態（α＝１４５°β＝０°）は、画像表示装置２０がカメラ本体１０の前方下方へ１４５°回動操作された状態である。Ｂ状態（α＝１０５°β＝０°）からＣ状態（α＝１４５°β＝０°）までの範囲は、撮影者が６０ａに示すように、カメラ本体１０を上から覗き込むような姿勢で撮影する,所謂ローアングル撮影に適した角度範囲である。したがって、この角度範囲を「ローアングル撮影範囲」と定義する。
【００３７】
Ｄ状態（α＝２２５°β＝０°）は、画像表示装置２０がカメラ本体１０の後部斜め下方へ回動操作された状態である。Ｃ状態（α＝１４５°β＝０°）からＤ状態（α＝２２５°β＝０°）までの範囲は、撮影者が６０ｂに示すように、カメラ本体１０の前面側から自らを撮影する,所謂自分撮りに適した角度範囲である。したがって、この角度範囲を「自分撮り範囲」と定義する。なお上記Ｄ状態は、カメラ本体１０に対する連結部材３１の＋方向への回動限界を示している。
【００３８】
図８の（ｂ）は、カメラ本体１０に対する連結部材３１の相対移動角度αを、α＝２２５°に固定した状態において、画像表示装置２０のみを＋方向へ回動操作した場合の動作状況を示す図である。
【００３９】
Ｄ状態（α＝２２５°β＝０°）は、図８の（ａ）に示したＤ状態と全く同じ状態を示している。
【００４０】
Ｅ状態（α＝２２５°、β＝４５°）は、連結部材３１に対して画像表示装置２０が４５°回動操作された状態である。Ｄ状態（α＝２２５°β＝０°）からＥ状態（α＝２２５°、β＝４５°）までの範囲は、撮影者が６０ｃに示すように、カメラ本体１０を下から仰ぎ見るような姿勢で撮影する,所謂ハイアングル撮影に適した角度範囲である。したがって、この角度範囲を「ハイアングル撮影範囲」と定義する。
【００４１】
Ｆ状態（α＝２２５°β＝１３５°）は、連結部材３１に対して画像表示装置２０が１３５°回動操作され、画像表示装置２０がカメラ背面に対して当接した状態である。この状態は、通常の撮影に適した角度である。したがって、この角度を「通常撮影角度」と定義する。
【００４２】
図９は本実施形態のカメラのシステム構成を示すブロック図である。図９に示すように本カメラは、カメラ本体１０と、画像表示装置２０と、連結部材３１を含む移動手段３０とを備えている。
【００４３】
カメラ本体１０の撮影レンズ１１を含む撮影光学系１０１で取り込まれた被写体象は撮像素子（例えばＣＣＤ撮像素子）１０２で被写体像に対応する電気信号に変換される。変換された電気信号は、撮像部１０３で画像データに変換される。この画像データはデータバス１１０を介してＤＲＡＭ等からなる一時記憶メモリー１１１へ一時的に記憶される。この一時記憶された画像データは、画像処理部１１２で画像圧縮等の処理がなされた後、着脱自在に装填可能なメモリーカード等の適用を可とする画像記録媒体１１３に格納される。
【００４４】
上記画像記録媒体１１３に格納された画像データは、再生時において上記記録媒体１１３から読み出され、前記画像処理部１１２により画像伸張等の処理がなされた後、前記一時記憶メモリー１１１に一時的に記憶される。そして、上記一時記憶された再生画像データは、表示部ドライバ１１４を介して例えばＬＣＤからなる画像表示部２５へ供給される。かくして所要画像が、画像表示部２５によって表示面２１上に所定の表示姿勢で表示される。
【００４５】
本実施形態のカメラは、後述する制御手段を含むＣＰＵ（中央処理装置）１２０を備えている。このＣＰＵ１２０は本体操作部１２１及び表示装置操作部２６からの指令等に応じて作動する。ズームモータ１２２ａはＣＰＵ１２０からの制御信号に基づいて撮影レンズ１１のズームレンズ１１ａを光軸に沿って移動させズーミングを行なう。フォーカスモータ１１２ｂはＣＰＵ１２０からの制御信号に基づいて撮影レンズ１１のフォーカスレンズ１１ｂを光軸に沿って移動させフォーカシングを行なう。
【００４６】
ＣＰＵ１２０に含まれている制御手段１２０Ｘは、前記移動手段３０によって変化する画像表示装置２０の姿勢に応じて、カメラ制御を行なう。すなわち移動手段３０における連結部材３１に付設されている姿勢検出手段としての第１のエンコーダー１３１で検出されたカメラ本体１０に対する連結部材３１の相対移動角度αと、連結部材３１に対する画像表示装置２０の相対移動角度βとに応じて、つまりαとβとの和である画像表示装置２０のカメラ本体１０に対する角度（姿勢）θに基づいて、制御手段１２０Ｘは次のようなカメラ制御を行なう。
【００４７】
図１０は制御手段１２０Ｘによる制御動作の処理フローを示すフロー図である。以下図１０に示す各ステップに従って説明する。
【００４８】
ステップＳＴ１：αが９０°以上であって、θが９０°以上であるか否か判定される。ＮＯである場合はそのまま待機状態となる。ＹＥＳである場合はステップＳＴ２ヘ進む。
【００４９】
ステップＳＴ２：電源がＯＮとなり、ステップＳＴ３ヘ進む。
【００５０】
ステップＳＴ３：レンズ繰り出し許可角度になったことから、撮影レンズ１１の繰り出しが行なわれ、ステップＳＴ４ヘ進む。
【００５１】
ステップＳＴ４：αが１０５°以上であって、θが１０５°以上であるか否か判定される。ＮＯである場合はそのまま待機状態となる。ＹＥＳである場合は、ステップＳＴ５ヘ進む。
【００５２】
ステップＳＴ５：画像表示装置２０が撮影・再生許可角度になったことから、撮影または再生が適時実行される。
【００５３】
ステップＳＴ６：撮影モードであるか否か判定される。撮影モードであると判定されると、ステップＳＴ７ヘ進む。
【００５４】
ステップＳＴ７：自分撮り範囲であるか否か判定される。自分撮り範囲であると判定されたときはステップＳＴ８ヘ進み、自分撮り範囲でないと判定されたときはステップＳＴ１０ヘ進む。
【００５５】
ステップＳＴ８：自分撮り表示処理がなされる。すなわち画像表示装置２０に表示される表示画像の向きを、上下反転や鏡像反転させる等の処理が行なわれる。
【００５６】
ステップＳＴ９：ステップＳＴ６にて撮影モードでないと判定されたとき、再生処理が行なわれる。再生処理が終了すると、ステップＳＴ１０ヘ進む。
【００５７】
ステップＳＴ１０：αが１０５°以上であって、θが１０５°以上であるか否か判定される。ＹＥＳである場合は、ステップＳＴ６ヘ戻る。ＮＯである場合は、撮影終了であると判断し、ステップＳＴ１１ヘ進む。
【００５８】
ステップＳＴ１１：撮影レンズ１１の引き込みが行なわれ、ステップＳＴ１２ヘ進む。
【００５９】
ステップＳＴ１２：電源がＯＦＦとされ、一連の制御動作が終了する。
【００６０】
（実施形態における特徴点)
［１］実施形態に示されたカメラは、
カメラ本体１０と、
前記カメラ本体１０の前面１０ａに設けられた撮影レンズ１１と、
前記カメラ本体１０の背面１０ｂに設けられた接眼部１３ｂを有する被写体視認用のファインダ（光学式、電子式何れでも可）１３と、
前記撮影レンズ１１を通して得られる撮影画像を表示する画像表示装置２０と、
前記画像表示装置２０を前記カメラ本体１０の前面側に定められた前面位置と背面側に定められた背面位置との間を移動させる移動手段３０と、
を備え、前記画像表示装置２０は、
前記前面位置に移動したときは、表示面２１を前記カメラ本体１０の前面に対向させて少なくとも前記撮影レンズ１１を覆うように配置され、
前記背面位置に移動したときは、前記接眼部１２ｂを露出させた状態で、自らの表示面２１を露出させる向きに配置されることを特徴とする。
【００６１】
上記カメラにおいては、画像表示装置２０が撮影レンズ１１やファインダ入射部１３ａ等を保護するバリア部材として利用されるので、専用のバリア部材が不要になる。したがってカメラの小型化に寄与する。しかも通常の撮影時においては、画像表示装置２０はカメラ本体１０の背面の被写体視認用ファインダ１２に支障を来たさない箇所に配置される。このため従来同様にコンパクトな態様で使用することができる。
【００６２】
［２］実施形態に示されたカメラは、前記［１］に記載のカメラであって、
前記移動手段３０は、前記画像表示装置２０を前記前面位置と前記背面位置との間を略３６０°の角度範囲にわたり回動させると共に、前記画像表示装置２０の上端面のカメラ本体底面からの高さが、当該画像表示装置２０が前記カメラ本体１０の前面位置にあるとき（Ｈ１）よりも、当該画像表示装置２０が前記カメラ本体１０の背面位置にあるとき（Ｈ２）の方が、低くなるように設定する手段を含んでいることを特徴とする。
【００６３】
上記カメラにおいては、画像表示装置２０が、カメラ本体１０の背面位置にある時は、比較的低い位置に配置される。したがってファインダ接眼部１３ｂの設置スペースを確保し易く、接眼部１３ｂの観察面を確実に露出させ得る。
【００６４】
［３］実施形態に示されたカメラは、前記［２］に記載のカメラであって、
前記ファインダ１３の接眼部１３ｂは、この接眼部１３ｂの観察面が前記カメラ本体１０の背面から突出するように設けられ、
前記画像表示装置２０は、前記背面位置に移動したとき、当該画像表示装置２０の上端面が前記接眼部１３ｂの底面に近接し、かつ、当該画像表示装置２０の外観面と前記接眼部の観察面とが前記カメラ本体の奥行き方向で同一面となるように設定されていることを特徴とする。
【００６５】
上記カメラにおいては、画像表示装置２０の表示面を見るとき、接眼部１３ｂの観察面を見るとき、のいずれの場合でも互いの存在が邪魔にならずに済む。したがって,画像視認動作に支障を来た棲おそれがない。
【００６６】
［４］実施形態に示されたカメラは、前記［１］又は［２］又は［３］に記載のカメラであって、
前記ファインダ１３は、前記カメラ本体１０の前面に入射部１３ａを有する光学式ファインダであって、前記画像表示装置２０は、前記カメラ本体１０の前面位置において、前記ファインダ１３の入射部１３ａを覆うように配置されることを特徴とする。
【００６７】
上記カメラにおいては、ファインダ入射部１３ａがカメラ携帯時等において、バリア部材として働く画像表示装置２０により確実に保護される。したがって破損等を生じるおそれがない。
【００６８】
［５］実施形態に示されたカメラは、前記［１］ないし［４］のいずれか一つに記載のカメラであって、
前記カメラ本体１０の前面位置にある前記画像表示装置２０の外観面が、前記カメラ本体１０の側面に設けられたグリップ部１５の外観面と連続するように設けられていることを特徴とする。
【００６９】
上記カメラにおいては、画像表示装置２０の外観面とグリップ部１５との境界部に段差部が生じない。したがってカメラ携帯時等において、上記境界部が周囲に引っかかるおそれが無い。
【００７０】
［６］実施形態に示されたカメラは、前記［１］ないし［５］のいずれか一つに記載のカメラであって、
前記移動手段３０は、前記カメラ本体１０の底部に備えられていることを特徴とする。
【００７１】
上記カメラにおいては、移動手段３０がカメラ本体１０の底部に備えられているので、デザイン的処理が容易になる。
【００７２】
［７］実施形態に示されたカメラは、前記［５］に記載のカメラであって、
前記移動手段３０は、前記カメラ本体１０と前記画像表示装置２０とを連結する連結部材３１を備え、当該連結部材３１は一端部に前記カメラ本体１０に回動可能に軸支される第1の回動軸ＡＸ１を有し、他端部に前記画像表示装置２０を回動可能に軸支する第2の回動軸ＡＸ２を有することを特徴とする。
【００７３】
［８］実施形態に示されたカメラは、前記［７］に記載のカメラであって、
前記連結部材３１は、前記画像表示装置２０が前記カメラ本体１０の背面位置にあるときは、前記第1の回動軸ＡＸ１及び第2の回動軸ＡＸ２のカメラ底面からの高さｈ１，ｈ２が略同一高さになり、
前記画像表示装置２０が前記カメラ本体１０の前面位置にあるときは、前記第2の回動軸ＡＸ２のカメラ底面からの高さｈ２が、前記第1の回動軸ＡＸ１のカメラ底面からの高さｈ１より高い位置となるように設定されていることを特徴とする。
【００７４】
［９］実施形態に示されたカメラは、前記［８］に記載のカメラであって、
前記画像表示装置２０が前記カメラ本体１０の前面位置にあるとき、前記連結部材３１が当接可能な傾斜面Ｔを含む連結部材収納部１０Ｘが前記カメラ本体１０の底部に形成されたことを特徴とする。
【００７５】
［１０］実施形態に示されたカメラは、前記［１］ないし［９］のいずれか一つに記載のカメラであって、
前記移動手段３０によって変化する前記画像表示装置２０の位置に応じて、カメラ動作を制御する制御手段１２０Ｘを備えたことを特徴とする。
【００７６】
上記カメラにおいては、画像表示装置２０の角度や向きに応じて、適切なカメラ動作を制御可能となる。
【００７７】
［１１］実施形態に示されたカメラは、前記［１０］に記載のカメラであって、
前記制御手段１２０Ｘは、前記画像表示装置２０がカメラ本体１０の前面側から背面側へ回動して第1の状態Ａになったとき、前記撮影レンズ１１を前記カメラ本体１０の前面から前方へ繰り出し制御する手段を含んでいることを特徴とする。
【００７８】
上記カメラにおいては、撮影レンズ１１の繰り出し動作のタイミングが適正に制御されるため、撮影レンズ１１の無断突出による他部材との衝突を防止できる。
【００７９】
［１２］実施形態に示されたカメラは、前記［１０］に記載のカメラであって、
前記制御手段１２０Ｘは、前記画像表示装置２０が前記第1の状態からさらに背面側に回動し第2の状態になったとき、撮影を許可する手段を含んでいることを特徴とする。
【００８０】
上記カメラにおいては、画像表示装置２０が、撮影レンズ１１の撮影画角から外れた位置まで移動したところで撮影が許可される。したがって画像表示装置２０による撮影の所謂「けられ」が確実に防止される。
【００８１】
［１３］実施形態に示されたカメラは、前記［１０］に記載のカメラであって、
前記制御手段１２０Ｘは、前記画像表示装置２０が所定の角度範囲内にあるとき、前記画像表示装置２０に表示される表示画像の向きを可変制御する手段を含んでいることを特徴とする。
【００８２】
上記カメラにおいては、画像表示装置２０の姿勢の変化に伴って表示面２１の向きが変わっても(例えば自分撮りを行なう場合、表示面２１の向きは上下逆さまとなる)、表示画像の向きは自動的に正常な表示向きに可変制御される。
【００８３】
［１４］実施形態に示されたカメラは、前記［１］に記載のカメラであって、
前記移動手段３０は、一端部がカメラ本体１０と回動可能に軸支され、他端部が前記画像表示装置２０と回動可能に軸支され、前記カメラ本体１０と前記画像表示装置２０とを連結する連結部材３１と、
前記カメラ本体１０に対する前記連結部材３１の回動角度α及び前記連結部材３１に対する前記画像表示装置２０の回動角度βから、前記画像表示装置２０の姿勢θを検出する検出手段（１３１，１３２）と、
前記検出手段（１３１，１３２）により検出された前記画像表示装置２０の姿勢θに応じてカメラ動作を制御する制御手段と、
を備えたことを特徴とする。
【００８４】
上記カメラにおいては、画像表示装置２０の姿勢θを的確に把握できる。
【００８５】
［１５］実施形態に示されたカメラは、前記［１］ないし［１４］のいずれか一つに記載のカメラであって、
前記画像表示装置２０の表示面２１が設けてある面には、操作部材２２が配置されていることを特徴とする。
【００８６】
上記カメラにおいては、表示面２１はカメラ使用時に露出される面なので、良好な操作性が得られる。しかも空きスペースの有効活用がはかれるため、操作部材２２（２２ａ〜２２ｃ）がカメラ本体１０にだけ配置される場合に比べて、スペース的に余裕をもって配置する事ができる。
【００８７】
［１６］実施形態に示されたカメラは、前記［１５］に記載のカメラであって、
前記操作部材２２は、前記画像表示装置２０の表示に関する指示を行なうものであることを特徴とする。
【産業上の利用可能性】
【００８８】
本発明を用いることによって、撮影姿勢の如何に拘らず表示画像を確認しながらの「視認撮影」が可能で、専用のバリア部材が不要になりカメラの小型化に寄与する上、通常の撮影時においては従来同様にコンパクトな態様で使用できる等の利点を有するカメラを安定に供給可能となる。
【図面の簡単な説明】
【００８９】
【図１】（ａ）（ｂ）（ｃ）は本発明の第１実施形態に係るカメラの構成(画像表示装置をカメラ本体の前面位置から下方へ移動した状態)を示す図で、（ａ）は上面図、（ｂ）は正面図、（ｃ）はカメラ正面から見て右側面を示す右側面図である。
【図２】本発明の第１実施形態に係るカメラの構成(画像表示装置をカメラ本体の前面位置にセットした状態)を示す正面図である。
【図３】本発明の第１実施形態に係るカメラの構成(画像表示装置をカメラ本体の背面位置にセットした状態)を示す背面図である。
【図４】本発明の第１実施形態に係るカメラ構成を示す図で、図１に対応する斜視図である。
【図５】本発明の第１実施形態に係るカメラ構成を示す図で、図２に対応する斜視図である。
【図６】本発明の第１実施形態に係るカメラ本体に対する画像表示装置の姿勢（回動角）についての定義付け行なうために示した図である。
【図７】（ａ）（ｂ）は本発明の第１実施形態に係る画像表示装置が カメラ本体の前面及び背面にそれぞれ当接した状態を示す側面図である。
【図８】（ａ）（ｂ）は本発明の第１実施形態に係るカメラの撮影時における画像表示装置の相対移動を含むカメラ態様を示す図である。
【図９】本発明の第１実施形態に係るカメラのシステム構成を示すブロック図である。
【図１０】本発明の第１実施形態に係る制御手段による制御動作の処理フローを示すフロー図である。
【符号の説明】
【００９０】
１０…カメラ本体、１３…ファインダ、１３ａ…入射部、１３ｂ…接眼部、２０…画像表示装置、３０…移動手段、３１…連結部材、１３１…第１のエンコーダー、１３２…第２のエンコーダー、ＡＸ１，ＡＸ２…第１，第２の回転軸、α…カメラ本体に対する連結部材の相対移動角度、β…連結部材に対する画像表示装置の相対移動角度、θ…α＋β。
【図１】
2005167899.tif 000003
【図２】
2005167899.tif 000004
【図３】
2005167899.tif 000005
【図４】
2005167899.tif 000006
【図５】
2005167899.tif 000007
【図６】
2005167899.tif 000008
【図７】
2005167899.tif 000009
【図８】
2005167899.tif 000010
【図９】
2005167899.tif 000011
【図１０】
2005167899.tif 000012